(57)【要約】【課題】放電灯からの熱の影響を受け難くして温度上昇を低減するとともに信頼性及び寿命の向上を図ることができ、定格電力の大きな放電灯を負荷とするのに適した放電灯点灯装置及び照明器具を提供する。【解決手段】放電灯点灯装置１０及び照明器具１００は、天井面に取り付けられることにより商用電源を受けて高周波電力に変換して、環状の放電灯を点灯制御する。環状の放電灯の中心に配置して、放電灯点灯回路部１２を構成する電子部品１５を実装したプリント基板１３を天井面に対し垂直になるように配置した。【選択図】図３
2010027565.tif 000002
【特許請求の範囲】
【請求項１】
天井面に取り付けられることにより商用電源を受けて高周波電力に変換して、環状の放電灯を点灯制御する放電灯点灯装置であって、
前記環状の放電灯の中心に配置して、放電灯点灯回路部を構成する電子部品を実装したプリント基板を前記天井面に対し垂直になるように配置したことを特徴とする放電灯点灯装置。
【請求項２】
前記プリント基板は、その短辺を前記天井面に接するように配置したことを特徴とする請求項１記載の放電灯点灯装置。
【請求項３】
前記プリント基板は、その片面に面実装半導体を実装し、前記プリント基板と並行に配置した金属製部材に対して放熱構造を有することを特徴とする請求項１または２記載の放電灯点灯装置。
【請求項４】
前記放電灯点灯回路部は、引掛ローゼットに受電接続される一対の引掛刃をケースの外郭に備えていることを特徴とする請求項１〜３のいずれか１項記載の放電灯点灯装置。
【請求項５】
請求項１〜４のいずれか１項記載の放電灯点灯装置を備えていることを特徴とする照明器具。
【発明の詳細な説明】
【技術分野】
【０００１】
本発明は、環状の放電灯を制御する放電灯点灯装置及び照明器具に関する。
【背景技術】
【０００２】
従来の放電灯点灯装置及び照明器具の一例として、２重管の環状蛍光灯を制御する放電灯点灯装置がランプ内径に沿うように配置した放電灯点灯装置が知られている（例えば、特許文献１参照）。
このような放電灯点灯装置は、商用電源を、入力フィルタを介してダイオードブリッジにて整流し、昇圧チョッパ回路で直流に変換し、ハーフブリッジインバータにて高周波に変換し、その出力に放電灯とともに共振回路が接続されている。
このハーフブリッジインバータの駆動周波数を変化させて、予熱、放電開始、点灯、調光等の制御を行う。
これらの回路を構成する部品の中で、チョークコイルや、ダイオードブリッジ、ＦＥＴ、ダイオード等は発熱の大きい電子部分であり、放熱部材に接続されている。これらの放電灯点灯装置を構成する電子部品は、放電灯点灯時に放電灯自体が発する熱の影響も受ける。
【０００３】
従来の放電灯点灯装置及び照明器具の他の一例として、放電灯点灯装置を構成する回路部品の自己発熱と、放電灯から発せられる熱とを考慮した放電灯点灯装置が知られている。
このような放電灯点灯装置における回路部品の自己発熱上昇、放電灯自体からの熱の影響は、放電灯の定格電力が大きくなるのに従って大きくなることは自明である。また、照明器具として目立たないように小型化、薄型化のニーズが高まっており、これらの要求を実現するために、回路部品の自己温度上昇、放電灯自体からの熱の影響の課題が重要になってきている。
【０００４】
従来の放電灯点灯装置及び照明器具のさらに他の一例として、天井に配設された配線装置（所謂、引掛シーリングや引掛ローゼット等と称されるもの）と電気的接続がなされる引掛刃を備えた放電灯点灯装置構成する回路部品の自己発熱と、放電灯から発せられる熱とを考慮した放電灯点灯装置及び照明器具が知られている（例えば、特許文献２参照）。
このような放電灯点灯装置は、放電灯点灯装置を構成する回路部品を実装したプリント基板が天井面と並行に位置するように配置されている。
【特許文献１】特開２０００−２０７９３１号公報（図１、段落番号０００３、００２３，００２４）
【特許文献２】特開２００５−２０９４７７号公報（図１、段落番号０００７）
【発明の開示】
【発明が解決しようとする課題】
【０００５】
ところで、上記特許文献１等に開示された放電灯点灯装置において、回路部品の自己温度上昇、放電灯自体からの熱の影響は、放電灯の定格電力が大きくなるのに従い大きくなるのは自明である。一方、回路部品の信頼性及び寿命の面では、電解コンデンサは長寿命であり、その寿命は使用温度環境に大きく依存することが知られている。即ち、より低い温度環境で使用する方が寿命の延命化につながる。つまり、放電灯点灯装置は、その温度上昇を低減することにより、信頼性及び寿命の向上を図れる。
【０００６】
従来の放電灯点灯装置においては、放電灯点灯装置を構成する回路部品が実装されたプリント基板が天井面に並行に位置する場合、負荷の高出力化（ランプの定格電力が大きくなった場合）に伴い、回路部品やプリント基板が大型化すると、相対的にランプに近づくことになり、ランプからの熱の影響に対して何らかの保護手段を必要とする。また、このような放電灯点灯装置と受電用の引掛刃が一体となった構成では、回路部品やプリント基板の大型化により放電灯点灯装置が大型化すると、一般ユーザーが引掛刃を取付けようとする際に非常に見え難く、作業しづらくなるために、放電灯の定格電力が大きくなるのに従い、このような課題が大きくなりうる。
【０００７】
前述したように、放電灯点灯装置は、負荷である放電灯自体からの熱の影響を低減するには、放電灯からなるべく遠くに距離をとって配置するのが望ましい。しかし、このように放電灯点灯装置を照明器具の外部に配置すると、一般ユーザーが器具の取替えをする際の施工性が悪化して現実的に不可能である。また、照明器具は、通常、部屋のデザイン性、好ましいコーディネートを損なうことのないように小型化、薄型化が求められる。
しかし、上記特許文献１等の放電灯点灯装置のように、放電灯点灯装置を放電灯の中心部に配置すると、放電灯からの離間距離をわずかしか大きくすることができず、放電灯からの熱の影響を低減するには至らない。
一方、上記特許文献２の放電灯点灯装置では、放電灯の中心部付近に放電灯点灯装置を配置した場合、定格電力の大きい放電灯については、放電灯点灯装置が大型化して放電灯との距離が近づく、あるいは照明器具の取付け時に引掛刃が見え難くなって作業をしづらくなる。
【０００８】
本発明は、前述した要望を満たすためになされたもので、その目的は、放電灯からの熱の影響を受け難くして温度上昇を低減するとともに信頼性及び寿命の向上を図ることができ、定格電力の大きな放電灯を負荷とするのに適した放電灯点灯装置及び照明器具を提供することにある。
【課題を解決するための手段】
【０００９】
本発明の放電灯点灯装置は、天井面に取り付けられることにより商用電源を受けて高周波電力に変換して、環状の放電灯を点灯制御する放電灯点灯装置であって、
前記環状の放電灯の中心に配置して、放電灯点灯回路部を構成する電子部品を実装したプリント基板を前記天井面に対し垂直になるように配置したことを特徴とする。
【００１０】
本発明においては、放電灯点灯装置を環状の放電灯の中心に配置して、放電灯点灯回路部を構成する電子部品を実装したプリント基板を天井面に対し垂直になるように配置したことにより、放電灯点灯回路部を構成するプリント基板が天井面に対して垂直に配置される。
よって、放電灯自体からの熱の影響を低減して、信頼性及び寿命の向上を図ることができる。
加えて、定格電力の大きな放電灯を負荷とした場合に対応することができる。
【００１１】
本発明の放電灯点灯装置は、前記プリント基板は、その短辺を前記天井面に接するように配置したことを特徴とする。
【００１２】
本発明においては、プリント基板の短辺が天井面に接するように、即ち、プリント基板の長辺が天井面に対し垂直になるように配置されることにより、放電灯からの離間距離を広げて、放電灯自体からの熱の影響をさらに低減することができる。
【００１３】
本発明の放電灯点灯装置は、前記プリント基板は、その片面に面実装半導体を実装し、前記プリント基板と並行に配置した金属製部材に対して放熱構造を有することを特徴とする。
【００１４】
本発明においては、プリント基板と並行に配置した金属製部材に対して放熱構造を有するために、プリント基板に実装された面実装半導体を効率良く放熱して、放電灯点灯装置内の温度上昇を低減することができる。
【００１５】
本発明の放電灯点灯装置は、前記放電灯点灯回路部は、引掛ローゼットに受電接続される一対の引掛刃をケースの外郭に備えていることを特徴とする。
【００１６】
本発明においては、天井面に配置されている引掛ローゼットに受電接続される一対の引掛刃をケースの外郭に備えることにより、照明器具の中央部に配置しても照明器具の取付け時等の施工性を阻害することがない。
【００１７】
本発明の照明器具は、本発明の放電灯点灯装置を備えていることを特徴とする。
【００１８】
本発明においては、信頼性および寿命の向上を図れるとともに定格電力の大きな放電灯を負荷とするのに適した照明器具を得ることができる。
【発明の効果】
【００１９】
本発明の放電灯点灯装置及び照明器具によれば、環状の放電灯の中心に配置して、放電灯点灯回路部を構成する電子部品を実装したプリント基板を天井面に対し垂直になるように配置した。
これにより、放電灯からの熱の影響を受け難くして温度上昇を低減するとともに信頼性及び寿命の向上を図ることができ、定格電力の大きな放電灯を負荷とするのに適した放電灯点灯装置及び照明器具を得ることができるという効果を有する。
【発明を実施するための最良の形態】
【００２０】
以下、本発明の複数の実施形態に係る放電灯点灯装置及び照明器具について、図面を参照して説明する。
【００２１】
（第１実施形態）
図１（Ａ），（Ｂ）に示すように、本発明の第１実施形態の照明器具１００は、丸型であって不図示の天井面に並行に配置される器具本体１０１に、環状の蛍光灯（２重管環状形蛍光灯）１０２，１０３を取り付けているとともに、蛍光灯１０２，１０３の光を拡散させるための半透明のグローブ１０４を取り付けており、蛍光灯１０２，１０３の中心に、ケース１１に収容された放電灯点灯装置１０を横向きに配置している。
器具本体１０１には、蛍光灯１０２，１０３を２重に組み付けるための複数のフック１０５を有する。
【００２２】
図２にも示すように、放電灯点灯装置１０は放電灯点灯回路部１２を内蔵しており、放電灯点灯回路部１２の具体的回路は、ラインフィルタＬＦ１，ＬＦ２及びコンデンサＣ１からなりコネクタＣＦ１を介して商用電源ＡＣに接続する電源帰還ノイズ低減用のフィルタ回路７０１と、ダイオードブリッジＤＢからなる整流回路７０２と、スイッチング素子（ＦＥＴ）Ｑ１，チョークコイルＬ１，ダイオードＤ１及びコンデンサＣ２で構成され商用電源ＡＣからの入力電流歪率を低減するための昇圧チョッパ回路７０３とを備えている。
【００２３】
また、放電灯点灯回路部１２は、平滑コンデンサＣ３，Ｃ４を並列接続した平滑回路７０４と、一対のスイッチング素子（ＦＥＴ）Ｑ２，Ｑ３，チョークコイルＬ２，出力用のトランスＴ１，予熱電流供給用のトランスＴ２，コンデンサＣ５〜Ｃ１０で構成され平滑回路７０４から出力される直流出力を高周波の交流出力に変換するインバータ回路７０５と、を備えている。
【００２４】
そして、放電灯点灯回路部１２は、昇圧チョッパ回路７０３のスイッチング素子Ｑ１をオンオフ制御するチョッパ制御回路７０６と、インバータ回路７０５のスイッチング素子Ｑ２，Ｑ３をオンオフするための制御信号を作成するインバータ制御回路７０７と、インバータ制御回路７０７からの制御信号に応じて各スイッチング素子Ｑ２，Ｑ３をオンオフ駆動するドライバ回路７０８と、チョッパ制御回路７０６，インバータ制御回路７０７及びドライバ回路７０８の動作電源を供給する電源回路７０９と、を備えている。
【００２５】
加えて、放電灯点灯回路部１２は、蛍光灯１０２，１０３に通電するためのコネクタＣＮ２,ＣＮ３を備えている。
【００２６】
図３にも示すように、放電灯点灯装置１０の放電灯点灯回路部１２は、第１プリント基板１３を備えている。
【００２７】
第１プリント基板１３は、その表実装面１４に、トランスＴ１，Ｔ２、チョークコイルＬ２、平滑コンデンサＣ３，Ｃ４、コネクタＣＮ２，ＣＮ３、チョークコイルＬ１、ラインフィルタＬＦ１，ＬＦ２、整流回路７０２、スイッチング素子Ｑ１，Ｑ２，Ｑ３、ダイオードＤ１、コネクタＣＮ１，ＣＮ２，ＣＮ３等の電子部品１５を、不図示のスルーホールを介して挿入実装している。
【００２８】
第１プリント基板１３は、その長辺である上面１６を天井面に接するように配置しており、その短辺である側面１７を天井面に対し垂直になるように配置している。
【００２９】
図４にも示すように、放電灯点灯装置１０は、放電灯点灯回路部１２をケース１１内に収容している。
【００３０】
前述した第１実施形態の放電灯点灯装置１０によれば、放電灯点灯装置１０を環状の蛍光灯１０２，１０３の中心に配置して、放電灯点灯回路部１２を構成する電子部品１５を実装した第１プリント基板１３を天井面に対し垂直になるように配置した。
これにより、放電灯点灯回路部１２を構成する第１プリント基板１３が天井面に対して垂直に配置される。
よって、蛍光灯１０２，１０３自体からの熱の影響を低減して、信頼性及び寿命の向上を図ることができる。
加えて、定格電力の大きな蛍光灯１０２，１０３を負荷とした場合に対応することができる。
【００３１】
第１実施形態の照明器具１００によれば、信頼性および寿命の向上を図れるとともに定格電力の大きな蛍光灯１０２，１０３を負荷とするのに適した照明器具１００を得ることができる。
【００３２】
（第２実施形態）
次に、本発明の第２実施形態の放電灯点灯装置及び照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３３】
図５（Ａ），（Ｂ）に示すように、本発明の第２実施形態の照明器具２００は、蛍光灯１０２，１０３の中心に、縦向きに配置した放電灯点灯装置３０を備えている。
【００３４】
図６にも示すように、放電灯点灯装置３０の放電灯点灯回路部１２は、第１プリント基板１３の表実装面１４に、トランスＴ１，Ｔ２、チョークコイルＬ２、平滑コンデンサＣ３，Ｃ４、コネクタＣＮ２，ＣＮ３、チョークコイルＬ１、ラインフィルタＬＦ１，ＬＦ２、整流回路７０２、スイッチング素子Ｑ１，Ｑ２，Ｑ３、ダイオードＤ１、コネクタＣＮ１，ＣＮ２，ＣＮ３等の電子部品１５を、不図示のスルーホールを介して挿入実装している。
【００３５】
第１プリント基板１３は、その短辺である上面３１を天井面に接するように配置しており、その長辺である側面３２を天井面に対し垂直になるように配置している。
【００３６】
図７にも示すように、放電灯点灯装置３０は、放電灯点灯回路部１２をケース１１内に収容している。
【００３７】
第２実施形態の放電灯点灯装置３０及び照明器具２００は、第１実施形態と同様の作用効果を有する。特に本実施形態によれば、第１プリント基板１３の短辺である上面３１が天井面に接するように、即ち、第１プリント基板１３の長辺である側面３２が天井面に対し垂直になるように配置した。
よって、蛍光灯１０２，１０３からの離間距離を広げて、蛍光灯１０２，１０３自体からの熱の影響をさらに低減することができる。
【００３８】
（第３実施形態）
次に、本発明の第３実施形態の放電灯点灯装置及び照明器具について説明する。
【００３９】
図８（Ａ），（Ｂ）に示すように、本発明の第３実施形態の放電灯点灯装置４０は、放電灯点灯回路部１２の第１プリント基板１３の表実装面１４に、トランスＴ１，Ｔ２、チョークコイルＬ２、平滑コンデンサＣ３，Ｃ４、コネクタＣＮ２，ＣＮ３、チョークコイルＬ１、ラインフィルタＬＦ１，ＬＦ２、整流回路７０２、コネクタＣＮ１，ＣＮ２，ＣＮ３等の電子部品１５を、不図示のスルーホールを介して挿入実装している。
そして、第１プリント基板１３の裏実装面４１に、スイッチング素子Ｑ１，Ｑ２，Ｑ３、ダイオードＤ１の面実装半導体である電子部品１５を面実装している。
【００４０】
図９にも示すように、第１プリント基板１３は、その短辺である上面３１を天井面に接するように配置しており、その長辺である側面３２を天井面に対し垂直になるように配置している。
【００４１】
第１プリント基板１３は、その裏実装面４１に面実装されているスイッチング素子Ｑ１，Ｑ２，Ｑ３、ダイオードＤ１を囲むように、熱伝伝導率の高い樹脂部材４２を介して、例えばアルミニウム製等の金属製のケース１１を並行に配置して収容されている。
そのため、蛍光灯１０２，１０３の点灯時に自己発熱による温度上昇が大きいスイッチング素子Ｑ１，Ｑ２，Ｑ３、ダイオードＤ１の熱をケース１１に伝搬して効率良く放熱を行うことができる。
【００４２】
図１０にも示すように、放電灯点灯装置４０は、放電灯点灯回路部１２をケース１１内に収容しており、ケース１１の外郭の上面４３に一対の引掛刃４４をそれぞれ突出形成している。一対の引掛刃４４はコネクタＣＮ１にそれぞれ接続されている。
【００４３】
一対の引掛刃４４は、天井面に配置されている不図示の引掛ローゼットに受電接続されることにより、放電灯点灯装置４０に商用電源ＡＣを電気的に接続する。
【００４４】
第３実施形態の放電灯点灯装置４０は、第１実施形態と同様の作用効果を有する。特に本実施形態によれば、第１プリント基板１３と並行に配置したケース１１に対して放熱構造を有するために、第１プリント基板１３に面実装された面実装半導体４２を効率良く放熱して、放電灯点灯装置４０内の放電灯点灯回路部１２の温度上昇を低減することができる。
【００４５】
加えて、第３実施形態の放電灯点灯装置４０によれば、天井面に配置されている引掛ローゼットに受電接続される一対の引掛刃４４をケース１１の外郭に備えることにより、照明器具の中央部に配置しても照明器具の取付け時等の施工性を阻害することがない。
【００４６】
（第４実施形態）
次に、本発明の第４実施形態の放電灯点灯装置及び照明器具について説明する。
【００４７】
図１１に示すように、本発明の第４実施形態の照明器具３００は、蛍光灯１０２，１０３の中心に、縦向きに配置した放電灯点灯装置５０を備えており、放電灯点灯装置５０に、赤外線リモコン信号を受信する受光素子５１を備えている。
【００４８】
図１２にも示すように、放電灯点灯装置５０は、第１プリント基板１３とは独立した第２プリント基板５２を備えている。
【００４９】
第１プリント基板１３は、その短辺である上面３１を天井面に接するように配置しており、その長辺である側面３２を天井面に対し垂直になるように配置している。第２プリント基板５２は、第１プリント基板１３の下方の短辺である下面５３側に、第１プリント基板１３に直交するように床面に対向して配置されている。
【００５０】
第２プリント基板５２には、受光素子５１が実装されている。受光素子５１は受光面５４を有する。受光素子５１は、受光面５４を床面に対向させて配置している。
【００５１】
図１３、図１４にも示すように、放電灯点灯装置５０は、ケース１１内に放電灯点灯回路部１４を収容している。放電灯点灯装置５０は、引掛刃４４により天井面に取り付けられることで、受光素子５１の受光面５４を床面に対向させて配置する。
【００５２】
第４実施形態の放電灯点灯装置５０及び照明器具３００は、第１実施形態と同様の作用効果を有する。特に本実施形態によれば、環状の蛍光灯１０２，１０３の中心に配置されて、電子部品１５を実装した第１プリント基板１３を天井面に対し垂直になるように備え、第２プリント基板５２に実装した受光素子５１の受光面５４を床面に対向するように配置した。
これにより、受光素子５１が蛍光灯１０２，１０３からの光ノイズの影響を受け難くなって、赤外線リモコン信号の受信性能を改善することができる。
【００５３】
なお、前記各実施形態で使用した器具本体１０１、蛍光灯１０２，１０３、グローブ１０４、フック１０５等は例示したものに限定するものではなく適宜変更が可能である。
【図面の簡単な説明】
【００５４】
【図１】（Ａ）は本発明に係る第１実施形態の照明器具の分解斜視図、（Ｂ）は（Ａ）の底面図
【図２】図１の照明器具に適用される放電灯点灯回路部の具体的回路図
【図３】図１の照明器具の放電灯点灯装置に適用される第１プリント基板の外観斜視図
【図４】図１の放電灯点灯装置の外観図
【図５】（Ａ）は本発明に係る第２実施形態の照明器具の分解斜視図、（Ｂ）は（Ａ）の底面図
【図６】図５の放電灯点灯装置に適用される第１プリント基板の外観斜視図
【図７】図５の放電灯点灯装置の外観図
【図８】（Ａ）は本発明に係る第３実施形態の放電灯点灯装置に適用される第１プリント基板の表実装面の外観斜視図、（Ｂ）は第１プリント基板の裏実装面の外観斜視図
【図９】図８の放電灯点灯装置の側面図
【図１０】図８の放電灯点灯装置の外観斜視図
【図１１】本発明に係る第４実施形態の照明器具の分解斜視図
【図１２】図１１の放電灯点灯装置に適用される第１プリント基板の外観斜視図
【図１３】図１１の放電灯点灯装置の斜め上方から視た外観斜視図
【図１４】図１１の放電灯点灯装置の斜め下方から視た外観斜視図
【符号の説明】
【００５５】
１０  放電灯点灯装置
１１  ケース（金属製部材）
１２  放電灯点灯回路部
１３  第１プリント基板（プリント基板）
１５  電子部品（面実装半導体）
３０  放電灯点灯装置
４０  放電灯点灯装置
４２  樹脂部材
４４  引掛刃
５０  放電灯点灯装置
１００  照明器具
１０２  蛍光灯（放電灯）
１０３  蛍光灯（放電灯）
２００  照明器具
３００  照明器具
ＡＣ  商用電源
【図１】
2010027565.tif 000003
【図２】
2010027565.tif 000004
【図３】
2010027565.tif 000005
【図４】
2010027565.tif 000006
【図５】
2010027565.tif 000007
【図６】
2010027565.tif 000008
【図７】
2010027565.tif 000009
【図８】
2010027565.tif 000010
【図９】
2010027565.tif 000011
【図１０】
2010027565.tif 000012
【図１１】
2010027565.tif 000013
【図１２】
2010027565.tif 000014
【図１３】
2010027565.tif 000015
【図１４】
2010027565.tif 000016